(57)【要約】【課題】軽量化、低コスト化および寸法精度の向上を図った場合でも、十分な強度を備えた光学素子を提供することにある。【解決手段】光学素子は、少なくとも一方の面に機能膜が形成された複数の板状部１、２、３と、対向配置された第１の支持部材４および第２の支持部材５とを備え、複数の板状部１、２、３の両端部は、各々前記第１の支持部材４と前記第２の支持部材５とによって保持されている。【選択図】図１
2008102468.tif 000002
【特許請求の範囲】
【請求項１】
少なくとも一方の面に機能膜が形成された複数の板状部と、対向配置された第１の支持部材および第２の支持部材とを備え、
前記複数の板状部の両端部の各々が前記第１の支持部材と前記第２の支持部材とによって保持されていることを特徴とする光学素子。
【請求項２】
請求項１において、前記複数の板状部は、各々別体の板材により構成されていることを特徴とする光学素子。
【請求項３】
請求項１において、前記複数の板状部には、１枚の板材における異なる箇所によって構成された板状部が含まれていることを特徴とする光学素子。
【請求項４】
請求項１乃至３の何れか一項において、前記複数の板状部には、少なくとも一つの端面に遮光層が形成されている板状部が含まれていることを特徴とする光学素子。
【請求項５】
請求項１乃至４何れか一項において、前記第１の支持部材と前記第２の支持部材が、さらに前記板状部とは別の光学機能素子を保持していることを特徴とする光学素子。
【発明の詳細な説明】
【技術分野】
【０００１】  本発明は、機能膜が形成された複数の板状部を備えた光学素子に関するものである。
【背景技術】
【０００２】  投射型表示装置などに用いられる光路分離素子や光路合成素子は、四角柱や三角柱などといったバルク状の透明基材の端面に部分透過膜を形成した後、これらの透明基材同士を接着剤で接合することにより構成されている。
【発明の開示】
【発明が解決しようとする課題】
【０００３】  しかしながら、複数のバルク状の透明基材を接合した光路分離素子や光路合成素子は重く、その結果、これらの素子を搭載した機器が重くなるという問題点がある。また、このような光学素子に用いられる透明基材には種々の光学特性が要求されるため、バルク状のものでは材料費が嵩んでしまう。一方、透明基材を樹脂成形により製造とした場合、バルク状のものでは、成形時に「ひけ」などが起こり、形状精度が低くなってしまう。【０００４】  このような問題を解消可能な構成として、光学素子を複数の板状部を備えた構造とし、これらの板状部に対して部分透過膜を形成することが考えられる。しかしながら、このような構造を採用した場合、バルク状であることの問題点は解消できるが、光学素子の強度が低いという新たな問題が発生する。【０００５】  以上の問題点に鑑みて、本発明の課題は、軽量化、低コスト化および寸法精度の向上を図った場合でも、十分な強度を備えた光学素子を提供することにある。
【課題を解決するための手段】
【０００６】  上記課題を解消するために、本発明に係る光学素子は、少なくとも一方の面に機能膜が形成された複数の板状部と、対向配置された第１の支持部材および第２の支持部材とを備え、前記複数の板状部の両端部は、各々前記第１の支持部材と前記第２の支持部材とによって保持されていることを特徴とする。【０００７】  本発明は、前記複数の板状部が各々別体の板材により構成されている場合、あるいは前記複数の板状部には、１枚の板材における異なる箇所によって構成された板状部が含まれている場合のいずれにも適用することができる。【０００８】  本発明において、前記複数の板状部には、少なくとも一つの端面に遮光層が形成されている板状部が含まれていることが好ましい。このように構成すると、光が所定の光路を辿らずに板状部の内部を進行して出射してしまうことを防止することができる。【０００９】  本発明において、前記第１の支持部材と前記第２の支持部材は、さらに前記板状部と派別の光学機能素子を保持していることが好ましい。このように構成すると、光学素子の強度をさらに高めることができる。
【発明の効果】
【００１０】  本発明に係る光学素子は、基材が板状部であるため、軽量化、低コスト化および寸法精度などを図ることができる。また、基材が板状部であっても、両側から支持部材で保持されているので、十分な強度を備えている。
【発明を実施するための最良の形態】
【００１１】  以下、本発明の実施の形態を説明する。図１は、本発明を適用した光学部品の説明図である。図１に示す光学部品において、符号１、２、３は機能膜を形成した板状部、符号４は第１支持部材、符号５は第２支持部材、符号６は支持部材、符号７は遮光のための墨塗り部位、符号８は赤ＬＥＤ光源、符号９は緑ＬＥＤ光源、符号１０は青ＬＥＤ光源、符号１１は赤色反射膜、符号１２は緑色反射膜、符号１３は青色反射膜、符号１４は合成光、符号１５は、板状部１、２、３と別の光学機能素子としてのロッドレンズである。それぞれ機能膜をコートした３枚の板状部１、２、３の両端面は、第１支持部材４と第２支持部材５に挟まれて保持されている。機能膜は、それぞれ赤反射膜、緑反射膜、青反射膜であって、かつ、それぞれの反射膜は反射する帯域の波長以外の色を透過する。従って、図２の様に同一方向へ選択的に光を合成して出射する事が出来る（参考：国際特許ＰＣＴ／ＪＰ２００４／０００６６８  図１２）。【００１２】  この場合、機能膜は薄いことが望ましい。そして複数の支持部材によって保持される事によって光学的機能を備えた軽量で十分な強度を保つ事が出来る。【００１３】  （他の適用例）
なお、上記形態では、３枚の板状部が平行に配置されている構成であったが、特開昭６３−２１７７８８号公報や特開平４−２１７３９１号公報に記載されているクロスダイクロイックプレートのように、いわゆる４枚の板状部が十字形状に配置されている場合に、その両端部が、対向配置された第１の支持部材と第２の支持部材とによって保持されている構造を採用してもよい。【００１４】  例えば図２のように支持部材とロッドレンズが接合される事によってさらに補強する事ができる。補強の光学素子は他にライトトンネル、レンズ、フレネルレンズ、ディフューザーなどが考えられる。
【図面の簡単な説明】
【００１５】
【図１】  本発明を適用した光学素子の説明図である。
【符号の説明】
【００１６】１、２、３  機能膜を形成した板状部
４          第１支持部材
５          第２支持部材
６          支持部材
７          遮光のための墨塗り部位
８          赤ＬＥＤ光源
９          緑ＬＥＤ光源
１０        青ＬＥＤ光源
１１        赤色反射膜
１２        緑色反射膜
１３        青色反射膜
１４        合成光
１５        ロッドレンズ
【図１】
2008102468.tif 000003
【図２】
2008102468.tif 000004
【手続補正書】
【提出日】平成19年1月25日(2007.1.25)
【手続補正２】
【補正対象書類名】明細書
【補正対象項目名】００１５
【補正方法】変更
【補正の内容】
【００１５】
【図１】  本発明を適用した光学素子の説明図である。
【図２】  図１の形体にロッドレンズ１５を装置してＬＥＤ８，９，１０を搭載した形を側面から見た図である。